(57)【特許請求の範囲】
【請求項１】
耳に装着して使用する音響装置であって、
前記音響装置は、電気音響変換器を収容したイヤホンケーシングと、皮膚接触部材と、介在部材と、を有し、
前記電気音響変換器は、前記イヤホンケーシングの先端部に収容され、
前記イヤホンケーシングは、少なくとも前記先端部が前記皮膚接触部材で覆われ、
前記皮膚接触部材は、柔軟性、弾力性及び通気性を有し、且つ、音を透過させる部材であり、
前記介在部材は、柔軟な部材であり、
前記介在部材は、前記イヤホンケーシングに環装されて、前記皮膚接触部材と前記イヤホンケーシングとの間に存在するとともに前記皮膚接触部材と前記イヤホンケーシングとの間に空気室を形成し、、
前記電気音響変換器、前記イヤホンケーシング、前記介在部材及び前記皮膚接触部材は互いに重なり合っており、
前記皮膚接触部材が外耳道に嵌まることにより、前記電気音響変換素子が当該外耳道に臨ませて支持される、音響装置。
【請求項２】
前記介在部材は、柔軟なエラストマでできている、請求項１の音響装置。
【請求項３】
前記介在部材は、前記電気音響変換素子を包囲する前記空気室を形成し、前記空気室内の空気振動に伴い振動する、請求項１又は２の音響装置。
【請求項４】
前記皮膚接触部材は、スポンジ材でできている、請求項１乃至３のいずれか１の音響装置。
【請求項５】
前記電気音響変換素子を収容する第１エンクロージャと、
前記第１エンクロージャを収容する第２エンクロージャと、を更に有し、
前記第１エンクロージャは、前記電気音響変換素子との間に第１共鳴室を形成し、
前記第２エンクロージャは、前記第１エンクロージャとの間に第２共鳴室を形成し、
前記第１エンクロージャには、前記第１共鳴室と前記第２共鳴室とを互いに連通させるポートが設けられている、請求項１乃至４のいずれか１の音響装置。
【発明の詳細な説明】
【技術分野】
【０００１】
本発明は、耳に装着して使用する音響装置に関する。
【背景技術】
【０００２】
耳に装着して使用する音響装置として、イヤホンが多数商品化されている。
イヤホンは、インナーイヤー型イヤホン（イントラコンカ型イヤホン、オープンエア型イヤホン、等とも称される）とカナル型（耳栓型）イヤホンとに大別される。【０００３】
図３４に示すように、インナーイヤー型イヤホン１２０は、電気音響変換器１１１を収容したハウジング１１２を、耳珠１０４と対耳珠１０５とに囲まれた窪み部分（耳甲介腔）１０６に嵌めて使用する。【０００４】
図３５に示すように、カナル型イヤホン１２０は、電気音響変換器１２１を収容したハウジング１２２と、ハウジング１２２から突出した音導管１２３と、音導管１２３の周りに装着されたイヤピース１２４と、を備えている。カナル型イヤホン１２０は、イヤピース１２４を外耳道１０１に挿入して使用する。また、多くのカナル型イヤホン１２０は、耳甲介腔１０６にハウジング１２２が嵌まる。
【発明の概要】
【発明が解決しようとする課題】
【０００５】
硬いハウジングが耳に接触する構造のイヤホンは、長時間使用すると、ハウジングと接触している箇所が痛くなり易い。この問題は、インナーイヤー型イヤホン１２０とカナル型イヤホン１２０のどちらにも共通する問題である。カナル型イヤホン１２０は、イヤピース１２４で外耳道１０１を密閉するため、装着感が良くない。
【課題を解決するための手段】
【０００６】
一実施形態の音響装置は、耳に装着して使用する音響装置であって、
前記音響装置は、電気音響変換器と、当該電気音響変換器の放音部を覆う皮膚接触部材と、を有し、
前記電気音響変換器は、前記放音部を外耳道の内部に向けて配置され、
前記皮膚接触部材は、柔軟性、弾力性及び通気性を有し、且つ、音を透過させる部材であり、
前記皮膚接触部材が前記外耳道に嵌まることにより、前記電気音響変換器を前記外耳道の内壁から離して支持する。
【図面の簡単な説明】
【０００７】
【図１】第１実施形態に係る音響装置の側面図
【図２】図１に示す音響装置の断面図
【図３】図１に示す音響装置の正面図
【図４】図１に示す音響装置の背面図
【図５】図１に示す音響装置を耳に装着した状態を示す模式断面図
【図６】第２実施形態に係る音響装置の側面図
【図７】図６に示す音響装置の正面図
【図８】図６に示す音響装置の背面図
【図９】図６に示す音響装置を耳に装着した状態を示す模式断面図
【図１０】第３実施形態に係る音響装置の側面図
【図１１】図１０に示す音響装置を耳に装着した状態を示す模式断面図
【図１２】第４実施形態に係る音響装置の側面図
【図１３】図１２に示す音響装置の断面図
【図１４】図１２に示す音響装置の側面図
【図１５】図１２に示す音響装置の正面図
【図１６】図１２に示す音響装置の背面図
【図１７】図１２に示す音響装置の平面図
【図１８】図１２に示す音響装置の底面図
【図１９】図１２に示す音響装置を耳に装着した状態を示す模式断面図
【図２０】第５実施形態に係る音響装置の斜視図
【図２１】図２０に示す音響装置の断面図
【図２２Ａ】図２０に示す音響装置が備える音響ユニットの断面図
【図２２Ｂ】図２０に示す音響装置が備える皮膚接触部材の断面図
【図２２Ｃ】図２０に示す音響装置が備える音響ユニット収容部材の断面図
【図２３】図２０に示す音響装置を耳に装着した状態を例示する図
【図２４】図２０に示す音響装置を耳に装着した状態を示す模式断面図
【図２５】第６実施形態に係る音響装置を耳に装着した状態を示す模式断面図
【図２６】第７実施形態に係る音響装置の斜視図
【図２７】図２６に示す音響装置の断面図
【図２８】図２６に示す音響装置の別の状態の斜視図
【図２９】第７実施形態の変形例を示す音響装置の斜視図
【図３０】第８実施形態に係る音響装置の側面図
【図３１】図３０に示す音響装置の部分破断図
【図３２】図３０に示す音響装置の皮膚接触部材及び介在部材を取り外した残りの部分の一部を断面で表した側面図
【図３３】図３０に示す音響装置を耳に装着した状態を示す模式断面図
【図３４】従来のインナーイヤー型イヤホンを耳に装着した状態を示す図
【図３５】カナル型イヤホンを耳に装着した状態を示す図
【発明を実施するための形態】
【０００８】
［第１実施形態］
図１乃至図５に示す音響装置１は、耳１００に装着して使用する音響装置である。この音響装置（以下、イヤホンと記す）１は、右耳用としても左耳用としても使用可能である。
【０００９】
イヤホン１は、電気音響変換器としてのドライバユニット２と、皮膚接触部材としてのキャップ３と、芯部材４と、拾音器５と、を有する。
【００１０】
ドライバユニット２は、放音部２ａを有する。イヤホン１を耳１００に装着することにより、ドライバユニット２は、放音部２ａを外耳道１０１内に向けて配置される。
【００１１】
キャップ３は、ドライバユニット２の放音部２ａを覆う部材である。キャップ３は、略球形の部材である。キャップ３は、外耳道１０１に嵌まり、且つ、ドライバユニット２の放音部２ａから発せられた音を等方的に透過させる部材である。
【００１２】
本明細書において、「球形」とは、自然状態において球形であることを意味する。「球形」とは、略球形を含む意味である。略球形には、表面の大部分が球面であり、残りの一部分が非球面又は当該大部分の球面とは曲率が異なる球面である形状が含まれる。「球面」は、材質に起因する微少な孔や凹凸を有する球状面を含む意味である。「自然状態」とは、外圧が加わっていない状態（例えば、未使用状態、非装着状態、等）或いは外圧が解かれて十分な時間が経過した状態を意味する。
【００１３】
キャップ３は、ドライバユニット２を外耳道１０１の内壁１０３から離して支持すると共に、ドライバユニット２の放音部２ａを外耳道１０１内の入口１０２付近に配置する。
【００１４】
キャップ３は、スポンジ材で形成されている。キャップ３に使用されるスポンジ材は、通気性の高い連続気泡構造を有している。その代表例は、高発泡・高通気ウレタンフォームである。キャップ３は、耳障りな高域成分の音を取り除くアナログフィルターとして機能しうる。
【００１５】
芯部材４は、円筒状の部材である。芯部材４の一端部には、ドライバユニット２が収容されるとともにキャップ３が取り付けられている。
【００１６】
芯部材４の他端部には、拾音器５が収容されるとともにカバー６が取り付けられている。
【００１７】
芯部材４は、金属製又は合成樹脂製である。金属の例として、アルミニウム合金を挙げることができる。カバー６は、メッシュ状の部材である。
【００１８】
芯部材４の内部には、ドライバユニット２を駆動する駆動制御回路（図示省略）と、拾音素子５からの音声信号を処理する信号処理回路（図示省略）とが設けられている。
【００１９】
上記のように構成された第１実施形態のイヤホン１によれば、図５に示すように、音声透過部材３が外耳道１０１に嵌まることにより、ドライバユニット２の放音部２ａが外耳道１０１内の入口１０２付近に配置される。そして、ドライバユニット２から発せられた音がキャップ３を等方的に透過して外耳道１０１内に放音される。音導管１２３及びイヤピース１２４（図３５参照）が存在しないため、外耳道１０１内の入口１０２又はその付近にてドライバユニット２から発せられた再生音が、キャップ３を透過して外耳道１０１の皮膚やその周辺の骨に伝達される。
【００２０】
よって、第１実施形態のイヤホン１によれば、ドライバユニット２から発せられた音を、外耳道１０１周辺の音を感じる部分の能力を最大限に活用して、自然な音響として認知することができる。
【００２１】
また、第１実施形態のイヤホン１によれば、ドライバユニット２の放音部２ａが外耳道１０１内の入口１０２付近に配置されるので、ドライバユニット２から発せられる音を効率良く外耳道１０１に導くことができる。よって、小寸（小出力）の電気音響変換器２を使用しているにもかかわらず、その再生音を自然な音響として認知できる。
【００２２】
また、第１実施形態のイヤホン１は、音導管１２３（図３５参照）を使用しないため、ドライバユニット２から聴覚器官に伝達される音域が制限されない。よって、ドライバユニット２の性能を十分に発揮させることができる。
【００２３】
また、第１実施形態のイヤホン１は、耳１００に接触する部分がキャップ３だけであり且つキャップ３がスポンジ材からなるので、耳１００への装着感が良好で、長時間着けていても耳１００に痛みが生じにくい。
【００２４】
また、第１実施形態のイヤホン１は、外耳道１０１に嵌まるキャップ３が通気性を有するスポンジ材からなるので、外耳道１０１を気密に密閉しない。このためタッチノイズが発生しにくい。
【００２５】
また、第１実施形態のイヤホン１は、拾音器５を備えているので、ノイズキャンセリング機能や補聴器の機能を実現することができる。また、拾音器５をバイノーラルマイクとして使用することもできる。
【００２６】
また、第１実施形態のイヤホン１では、ドライバユニット２及び拾音器５が芯部材４に収容されているので、ドライバユニット２及び拾音器５を保護することができる。また、芯部材４は、イヤホン１を耳１００に付け外しする際に指で摘まむ部分として機能し得る。
【００２７】
［第２実施形態］
以下の説明において、既に説明した実施形態と同じ構成要素については、同じ符号を付して説明を省略する。
【００２８】
図６乃至図９に示すイヤホン１は、第１実施形態の構成に加えて、バッフル部材７を備えている。バッフル部材７は、傘状のフランジ部材である。バッフル部材７は、薄く柔軟な板材である。バッフル部材７は、エラストマで形成されている。エラストマの代表例として、シリコンを挙げることができる。
【００２９】
第２実施形態のイヤホン１によれば、図９に示すように、イヤホン１を耳１００に装着することにより、外耳道１０１の入口１０２とその周辺部がバッフル部材７で覆われる。バッフル部材７が設けられている状態においても、外耳道１０１への空気の流通は許容される。すなわち、バッフル部材７は外耳道１０１を気密に密閉しない。バッフル部材７と耳の皮膚との間に隙間が形成されうる。
【００３０】
よって、第２実施形態のイヤホン１は、第１実施形態の効果に加え、ドライバユニット２から外耳道１０１内に発せられた音の外耳道１０１外への音漏れを抑制できる。そして、低音成分を効率良く内耳部へ伝えることができる。
【００３１】
また、バッフル部材７が外耳道１０１の入口１０２の周辺部に接触することにより、外耳道１０１に対するドライバユニット２の位置を安定させることができる。
【００３２】
また、耳１００に接触する部分がキャップ３及びバッフル部材７であり且つどちらも柔らかい部材であるので、耳１００への装着感が良好で、長時間装着しても耳１００に痛みが生じにくい。
【００３３】
［第３実施形態］
図１０及び図１１に示すイヤホン１は、第２実施形態の構成に加えて、サブバッフル部材８を備えている。
【００３４】
サブバッフル部材８は、バッフル部材７とキャップ３との間に設けられている。サブバッフル部材８は、芯部材４の周囲に設けられている。サブバッフル部材８は、薄く柔軟な板材である。サブバッフル部材８は、エラストマで形成されている。
【００３５】
第３実施形態のイヤホン１によれば、図１１に示すように、イヤホン１を耳１００に装着することにより、外耳道１０１の入口１０２とその周辺部がバッフル部材７で覆われるとともに、バッフル部材７とキャップ３との間の空間がサブバッフル部材８によって仕切られる。サブバッフル部材８が設けられている状態においても、外耳道１０１への空気の流通は許容される。すなわち、サブバッフル部材８は外耳道１０１を気密に密閉しない。バッフル部材８と耳の皮膚との間に隙間が形成されうる。
【００３６】
よって、第３実施形態のイヤホン１は、第２の実施形態よりも更に音漏れを抑制できる。そして、低音成分を更に効率良く内耳部へ伝えることができる。
【００３７】
また、サブバッフル部材８が外耳道１０１の内壁１０３に接触することにより、外耳道１０１に対するドライバユニット２の位置をより安定させることができる。
【００３８】
また、耳１００に接触する部分がキャップ３、バッフル部材７及びサブバッフル部材８であり且つこれらは何れも柔らかい部材であるので、耳への装着感が良好で、長時間着けていても耳１００に痛みが生じにくい。
【００３９】
［第４実施形態］
図１２乃至図１９に示すイヤホン１は、第２実施形態の構成に加えて、嵌合部材９を備えている。
【００４０】
嵌合部材９は、芯部材４の周囲に設けられている。嵌合部材９は、耳甲介腔１０６に嵌まる柔軟性及び弾力性を有する部材である。嵌合部材９が耳甲介腔１０６に嵌まった状態においても、外耳道１０１への空気の流通は許容される。嵌合部材９と耳の皮膚との間に部分的に隙間が形成される。嵌合部材９が通気性を有しているならば、耳の皮膚との間の隙間は不要である。
【００４１】
嵌合部材９は、スポンジ材、不織布材、又は繊維が互いに交絡している繊維材で形成されている。嵌合部材９に用いられるスポンジ材にはシリコンスポンジが含まれる。シリコンスポンジには、透明感があり表面が滑らかなものが含まれる。この種のシリコンスポンジを使用することにより、透明感があり且つ表面が滑らかな斬新な嵌合部材９を実現できる。シリコンスポンジには、独立気泡を有し、水分及び空気を透過させないものがある。この種のシリコンスポンジを使用することにより、耳１００に装着したときにとても柔らかくて暖かみを感じられる嵌合部材９を実現できる。
【００４２】
嵌合部材９は、正面から視ると円形を呈し（図１５参照）、上面から視ると右側が若干潰れた略楕円形を呈する（図１７参照）。嵌合部材９に対する芯部材４の位置は、正面から視ると右側に偏心している（図１５参照）。
【００４３】
バッフル部材７は、嵌合部材９とキャップ３との間に設けられている。
【００４４】
第４実施形態のイヤホン１は、図１１に示すように、キャップ３が外耳道１０１に嵌まるとともに、嵌合部材９が耳甲介腔１０６に嵌まることにより、耳１００に安定に装着される。
【００４５】
このイヤホン１は、柔軟性及び弾力性な嵌合部材９が耳甲介腔１０６に嵌まるため、硬いハウジングが耳１００に接触する構造のイヤホンと比較して耳１００への装着感が良好で、長時間着けていても耳が痛くならない。
【００４６】
このイヤホン１は、嵌合部材９と芯部材４とを相対的に１８０°回転させることにより、右耳用としても左耳用としても使用可能である。
【００４７】
［第５実施形態］
図２０乃至図２４に示すイヤホン１０は、音響ユニット１１と耳装着体１９とを有する。
音響ユニット１１は、電気音響変換器としてのドライバユニット１２と無線モジュール１３とハウジング１８とを有する。
ドライバユニット１２は、放音部１２ａを有する。ドライバユニット１２は、放音部１２ａを外耳道１０１内に向けて配置される。
【００４８】
無線モジュール１３は、受信部１４と電池１５と操作部１６と制御部１７とを有する。
受信部１４は、図示しない送信器（オーディオプレイヤ、スマートフォン、等、オーディオコンテンツ提供装置）から無線送信された信号を受信する。受信部１４と図示しない送信器との間の通信プロトコルとして、Ｗｉ−Ｆｉ（登録商標）、ブルートゥース（登録商標）、または他のプロトコルを使用することができる。
【００４９】
受信部１４の出力端子には、ドライバユニット１２の端子から延びる信号線１２ｂが接続されている。受信部１４は、受信した信号を電気信号（電気音響変換器駆動信号）に変換する。受信部１４は、変換した電気信号を信号線１２ｂを通じてドライバユニット１２に入力する。ドライバユニット１２は、入力された電気信号を音響に変換し、放音部１２ａから放音する。
【００５０】
電池１５は、ドライバユニット１２及び制御部１７に電力を供給する。電池１５は、一次電池または二次電池である。
【００５１】
操作部１６は、オン／オフボタン１６ａと増大ボタン１６ｂと減少ボタン１６ｃとを有する。オン／オフボタン１６ａは、電池１５からの電力の供給をオンオフするための操作子である。増大ボタン１６ｂは、受信部１４による電気信号の出力を増大させるための操作子である。減少ボタン１６ｃは、受信部１４による電気信号の出力を減少させるための操作子である。
【００５２】
制御部１７は、操作部１６に対してなされる操作に応じて、電池１５からの電力の供給をオン／オフさせたり、受信部１４による電気信号の出力を増減させたりする。
【００５３】
ハウジング１８は、樹脂製の硬質の部材である。ハウジング１８は、筒状の部材である。ハウジング１８の一端１８ａ側（イヤホン１０が外耳道１０１に装着されたときに外耳道１０１に向く側）には、ドライバユニット１２の放音部１２ａとは反対側の部分が嵌め込んで固定されている。ハウジング１８の他端１８ｂ側には、制御部１７が収容して固定されている。ハウジング１８の当該他端１８ｂ側の一部には周壁を貫通させて貫通孔１８ｃが形成されている。オン／オフボタン１６Ａと増大ボタン１６ｂ及び減少ボタン１６ｃが、貫通孔１８ｃを貫通してハウジング１８の外に突出している。
【００５４】
耳装着体１９は、音響ユニット１１の全体を包み込む部材である。耳装着体１９は、伸縮性、柔軟性及び通気性を有する部材である。耳装着体１９は、皮膚接触部材１９Ａと音響ユニット収容部材１９Ｂとで構成される。皮膚接触部材１９Ａと音響ユニット収容部材１９Ｂは、どちらもスポンジ材からなる。スポンジ材として、化粧用パフに用いられるスポンジ材に類似した材質のスポンジ材が用いられる。スポンジ材として、化粧用パフに用いられるスポンジ材とまったく同じものを用いてもよい。皮膚接触部材１９Ａの比重は音響ユニット収容部材１９Ｂの比重よりも小さい。皮膚接触部材１９Ａは、音響ユニット収容部材１９Ｂよりも柔らかい。皮膚接触部材１９Ａは、音響ユニット収容部材１９Ｂよりも良好に音声を透過する性質を有する。
【００５５】
皮膚接触部材１９Ａは、ドライバユニット１２の放音部１２ａを覆う部材である。音声透過部材１９Ａは、ドライバユニット１２の放音部１２ａから発せられた音を等方的に透過させる部材である。
【００５６】
音響ユニット収容部材１９Ｂは、音響ユニット１１の大部分を収容する部材である。音響ユニット収容部材１９Ｂには、音響ユニット１１を収容するための空洞１９ｃが形成されている。音響ユニット１１の大部分は空洞１９ｃ内に収容される。ドライバユニット１２の放音部１２ａ側の一部は音響ユニット収容部材１９Ｂの一端１９Ｂａから突出する（図２２Ｃ参照）。音響ユニット収容部材１９Ｂの一端１９Ｂａ側の端部外側には環状の凹部１９Ｂｂが形成されている。
【００５７】
空洞１９ｃの一部は、オン／オフボタン１６ａ、増大ボタン１６ｂ及び減少ボタン１６ｃを収容するための操作部収容領域１９ｄになっている。操作部収容領域１９ｄが存在することにより、音響ユニット収容部材１９Ｂの特定部分１９Ｂｃの肉厚は他の部分よりも薄くなっている（図２２Ｃ参照）。特定部分１９Ｂｃの肉厚は他の部分よりも薄いので、特定部分１９Ｂｃは他の部分よりも柔らかく、指で押すと容易に変形する。特定部分１９Ｂｃが他の部分よりも容易に変形することにより、オン／オフボタン１６ａ、増大ボタン１６ｂ及び減少ボタン１６ｃを操作しやすくしている。
【００５８】
皮膚接触部材１９Ａには、音響ユニット収容部材１９Ｂの一端１９Ｂａ側の端部及びドライバユニット１２の一部を収容するための空洞１９Ａｃが形成されている。空洞１９Ａｃは、イヤホン１０が外耳道１０１に装着されたときに外耳道１０１に向く側の面１９Ａａとは反対側に開口している。皮膚接触部材１９Ａの内側には、音響ユニット収容部材１９Ｂの凹部１９Ｂｂと互いに嵌合する環状の凸部１９Ａｂが形成されている。
【００５９】
イヤホン１０は、オン／オフボタン１６Ａ、増大ボタン１６ｂ及び減少ボタン１６ｃが操作部収容領域１９ｄに配置されるように、音響ユニット１１を音響ユニット収容部材１９Ｂの空洞１９ｃに嵌め込んだ後、皮膚接触部材１９Ａを音響ユニット収容部材１９Ｂの一端１９Ｂａ側に被せ付けることにより、組み立てられる。皮膚接触部材１９Ａの凸部１９Ａｂと音響ユニット収容部材１９Ｂの凹部１９Ｂｂが互いに嵌合することにより、音声透過部材１９Ａと音響ユニット収容部材１９Ｂとが互いに簡易連結される。皮膚接触部材１９Ａと音響ユニット収容部材１９Ｂとの間に接着層を設ければ、両者は互いに固定される。
【００６０】
上記のように構成されたイヤホン１０は、耳装着体１９が耳甲介腔１０６に嵌まることにより、耳１００に安定に装着される。そして、耳装着体１９の皮膚接触部材１９Ａが耳甲介腔１０６に嵌まることにより、ドライバユニット１２が外耳道１０１に臨ませて支持される。ドライバユニット１２から発せられた音は、皮膚接触部材１９Ａを透過して外耳道１０１内に放音される。音導管１２３（図３５参照）が存在しないため、ドライバユニット１２から聴覚器官に伝達される音域が制限されない。よって、ドライバユニット１２の性能を十分に発揮させることができる。
【００６１】
また、イヤホン１０は、耳装着体１９が通気性を有する部材であるため、外耳道１０１を気密に塞がない。よって、イヤホン１０は、タッチノイズが発生しにくい。
【００６２】
また、イヤホン１０は、音響ユニット１１の全体が耳装着体１９で包み込まれているため、耳１００に接触する部分が耳装着体１９だけである。そして、耳装着体１９は伸縮性及び柔軟性を有する部材である。このため、イヤホン１０は、硬いハウジングが耳１００に接触する構造のイヤホンと比較して耳１００への装着感が良好であり、長時間着けていても耳１００に痛みが生じにくい。
【００６３】
また、イヤホン１０は、右耳用としても左耳用としても使用可能である。
【００６４】
また、イヤホン１０は、耳装着体１９を音響ユニット１１から取り出し、別の耳装着体１９に交換することができる。したがって、使用した結果汚れてしまった耳装着体１９を新品の耳装着体１９と交換することにより、イヤホン１０を新品同様の清潔な状態にすることができる。また、デザインの異なる複数種類の耳装着体１９を用意しておくことにより、服装などに応じて複数種類のデザインの耳装着体１９を使い分けることができる。また、性能・機能の異なる複数種類の耳装着体１９を用意しておくことにより、用途に応じて複数種類の性能・機能の耳装着体１９を使い分けることができる。性能・機能の例として、日常生活での装着に適した装着性能（標準的な柔軟性）、就寝時の装着に適した装着性能（より高度な柔軟性）、運動時における装着に適した装着性能（落下防止機能付き）、等を挙げることができる。落下防止機能の例として、左右の耳１００に装着される両耳装着体１９を互いに連結する紐、チェーン、等を挙げることができる。
【００６５】
また、イヤホン１０は、耳装着体１９の材質が化粧用パフと類似しているので、化粧用パフとして代用することができる。
【００６６】
［第６実施形態］
図２５に示すイヤホン１０は、外耳道嵌合部１９ｅを有している。その他の構成は第５実施形態のイヤホン１０と同じである。外耳道嵌合部１９ｅは、皮膚接触部材１９Ａの一部をなす。外耳道嵌合部１９ｅは、イヤホン１０の着時に外耳道１０１に嵌合する部分である。
【００６７】
第６実施形態のイヤホン１０は、皮膚接触部材１９Ａの外耳道嵌合部１９ｅが外耳道１０１に嵌まるとともに、皮膚接触部材１９Ａの外耳道嵌合部１９ｅ以外の部分が耳甲介腔１０６に嵌まる。したがって、第６実施形態のイヤホン１０は、第５実施形態のイヤホン１０よりも安定に耳１００に装着される。
【００６８】
［第７実施形態］
図２６乃至図２８に示すイヤホン１０は、第１ケーブル４０Ａを有している。第１ケーブル４０Ａは、図示しないオーディオコンテンツ提供装置と音響ユニット１１とを電気的に互いに接続するケーブル４０の一部である。このイヤホン１０の音響ユニット１１は、ドライバユニット１２のみからなる。空洞１９ｃは、図２１のものよりも小さく形成されている。空洞１９ｃには、操作部収容領域１９ｄ（図２１参照）は存在しない。その他の構成は第５実施形態のイヤホン１０と同じである。ドライバユニット１２には、図示しないオーディオコンテンツ提供装置からの電気信号がケーブル４０を介して入力される。ドライバユニット１２は、入力された電気信号を音響に変換し、放音部１２ａから放音する。
【００６９】
図２７に示すように、第１ケーブル４０Ａの一端４０ａは、ドライバユニット１２の端子に接続されている。第１ケーブル４０Ａの他端側は、音響ユニット収容部材１９Ｂの内部を通って耳装着体１９の外側に延びている。図２６に示すように、ケーブル４０は、第１ケーブル４０Ａと第２ケーブル４０Ｂとを有する。第２ケーブル４０Ｂの一端は図示しない受信装置に接続されている。図示しない受信装置は、図示しない送信装置（オーディオコンテンツ提供装置）から無線送信された信号を受信する。受信された信号が信号処理され、ケーブル４０を介してドライバユニット１２に入力される。図示しない受信装置と図示しない送信器との間の通信プロトコルとして、Ｗｉ−Ｆｉ（登録商標）、ブルートゥース（登録商標）、または他のプロトコルを使用することができる。
【００７０】
第１ケーブル４０Ａと第２ケーブル４０Ｂは、接続端子対４１を介して互いに電気的に接続される。接続端子対４１は、第１端子４１Ａと第２端子４１Ｂとからなる。第１端子４１Ａは雄端子であり、第２端子４１Ｂは雌端子である。第１端子４１Ａは第１ケーブル４０Ａの他端部４０Ａａに取り付けられている。第２端子４１Ｂは、第２ケーブル４０Ｂの他端部４０Ｂａに取り付けられている。第１端子４１Ａと第２端子４１Ｂは、互いに接続及び離脱可能である。第１ケーブル４０Ａの長さは任意である。第１ケーブル４０Ａの長さ（音響ユニット１１から第１端子４１Ａまでの長さ）は、２０ｃｍ以下であることが好ましい。第１ケーブル４０Ａと第２ケーブル４０Ｂとが互いに接続して使用されることを考慮すると、第１ケーブル４０Ａの長さは高々２０ｃｍあれば十分だからである。
【００７１】
第７実施形態のイヤホン１０は、図２８に示すように、第１端子４１Ａと第２端子４１Ｂとの互いの結合が解かれている状態の製品である。すなわち、このイヤホン１０は、第２ケーブル４０Ｂと図示しない送信装置とを備えていない製品として提供される。ただし、第２ケーブル４０Ｂ及び図示しない送信装置と、このイヤホン１０をセットにして販売することは可能である。
【００７２】
第７実施形態によれば、イヤホン１０が故障した場合などに、そのイヤホン１０だけを新品と交換することが可能である。また、音響特性の異なる複数種類のイヤホン１０を用意しておくことにより、用途に応じた音響特性のイヤホン１０を第２ケーブル４０Ｂに接続して使用することができる。
【００７３】
［第８実施形態］
図３０乃至図３３に示すイヤホン１２は、第２エンクロージャとしてのイヤホンケーシング５０と、電気音響変換器としてのドライバユニット６０と、皮膚接触部材としてのキャップ７０と、介在部材としてのバッフルチューブ８０と、を有する。
【００７４】
イヤホンケーシング５０は、アルミ板を絞り加工してなる一体成形品である。イヤホンケーシング５０は、ヘッド部５１と、ボディ部５２と、を有する。
【００７５】
ヘッド部５１は、半球殻構造になっている。ボディ部５２は、直管の両端を半球殻で塞いだ構造になっている。ヘッド部５１とボディ部５２とは、ネック部（括れ部）５３を介して同軸状に接続されている。ヘッド部５１の外径は、ボディ部５２の外径よりも大きい。
【００７６】
ヘッド部５１の先端部（図示左端部）は開口している。ヘッド部５１の先端５１ａには、プロテクタ５４が取り付けられている。プロテクタ５４は、ヘッド部５１と略対称の半球殻状の部材である。プロテクタ５４とヘッド部５１とが組み合わされて球殻を成している。プロテクタ５４は、メッシュ状の金属製の部材である。プロテクタ５４は、音声を良好に透過させる。ヘッド部４１の先端部の内側には、ドライバユニット６０が嵌合する環状突起５１ｂが設けられている。
【００７７】
ドライバユニット６０は、電気音響変換素子６１と、第１エンクロージャとしてのドライバケーシング６２と、を有する。電気音響変換素子６１の先端（図示左端）には、放音部としての振動板６１ａが設けられている。振動板６１ａの背後（図示右側）には、入力電気信号を振動板６１ａの振動に変換する電気機械結合系６３が設けられている。電気機械結合系６３は、ボイスコイル、マグネット、等（何れも不図示）で構成される。振動板６１ａの振動が空気振動すなわち音として放出される。電気音響変換素子６１の基端（図示右端）には、一対の端子６１ｂが設けられている。電気音響変換素子６１は、ドライバケーシング６２に収容されている。ドライバケーシング６２は、電気音響変換素子６１との間に第１共鳴室９１を形成する。
【００７８】
ドライバケーシング６２は、円筒部６２ａと、端板部６２ｂ、とからなる。円筒部６２ａは、電気音響変換素子６１を包囲している。電気音響変換素子６１の振動板６１ａは、円筒部６２ａの前端から露出している。電気機械結合系（不図示）の駆動軸は円筒部６２ａの中心軸と同軸上に配置されている。円筒部６２ａの後端は、端板部６２ｂで塞がれている。端板部６２ｂの内面（図示左面）には、一対の端子６２ｃが設けられている。端板部６２ｂの外面（図示右面）には、一対の端子６２ｄが設けられている。端板部６２ｂの内面の端子６２ｃと外面の端子６２ｄとは、スルーホール（不図示）で電気的に接続されている。端板部６２ｂの内面の端子６２ｃには、電気音響変換素子６１の端子６１ｂが電気的に接続されている。端板部６２ｂには、ポート（通気孔）６２ｅが設けられている。
ポート６２ｅは、端板部６２ｂの内面及び外面に開口している。
【００７９】
ドライバケーシング６２は、円筒部６２ａがヘッド部５１の環状突起５１ｂに嵌合することにより、ヘッド部５１内に安定に保持されている。この例では、ドライバケーシング６２の後端（図示右端）が、ヘッド部５１の内壁に全周に亘って接している。これにより、ヘッド部５１と端板部６２ｂとの間に第２共鳴室９２が形成されている。第２共鳴室９２は、ポート６２ｅを介して第１共鳴室９１と連通している。
【００８０】
また、この例では、ボディ部５２の内部空間が第３共鳴室９３をなす。第３共鳴室９３は、ネック部５３の内部空間９４を介して第２共鳴室９２と連通している。すなわち、第２共鳴室９２と第３共鳴室９３との連通部（内部空間９４）は、くびれている。
【００８１】
ボディ部５２の軸方向（図示左右方向）の中央の下部には、ケーブル挿入孔（不図示）が設けられている。ボディ部５２には、ケーブル挿入孔（不図示）と同軸にブッシング５５が取り付けられている。ボディ部５２内すなわち第３共鳴室９３には、ブッシング５５を介してケーブル５６の一端側が挿入されている。第３共鳴室９３内で、ケーブル５６の一端部がボディ部５２に固定され、その一端部から２本のリード線５７が引き出されている。リード線５７はそれぞれ端子６３に電気的に接続されている。ケーブル５６の他端部は、プラグ（不図示）が備えられて音楽再生装置などに接続される。
【００８２】
ボディ部５２は、イヤホン１２を耳１００に付け外しする際に指で摘まむ部分として機能し得る。
【００８３】
キャップ７０は、略球形の部材である。キャップ７０は、スポンジ材で形成されている。キャップ７０に使用されるスポンジ材は、通気性の高い連続気泡構造を有している。その代表例は、高発泡・高通気ウレタンフォームである。キャップ７０は、柔軟性、弾力性及び通気性を有する。キャップ７０は、音を透過させる部材である。キャップ７０は、耳障りな高域成分の音を取り除くアナログフィルターとして機能しうる。
【００８４】
キャップ７０は、バッフルチューブ８０及びプロテクタ５４が取り付けられている状態のヘッド部５１を覆う。キャップ７０とバッフルチューブ８０とを組み合わせることにより、ボディ部５２側（図示右側）の端部を除き、略球体をなす。電気音響変換素子６１の振動板６１ａ及び側部６１ｃは、キャップ７０で覆われる。キャップ７０は、電気音響変換素子６１を外耳道１０１の内壁１０３（図３３）から離して支持する。この例では、電気音響変換素子６１とキャップ７０との間に、ドライバケーシング６２、プロテクタ５４、ヘッド部５１及びバッフルチューブ８０が介在している。
【００８５】
バッフルチューブ８０は、イヤホンケーシング５０に環装されている。すなわち、この例では、バッフルチューブ８０は、ドライバユニット６０に間接的に環装されている。バッフルチューブ８０は、ドライバユニット６０とキャップ７０との間に存在する。
【００８６】
バッフルチューブ８０は、ボディ部５２のヘッド部５１側の端部からプロテクタ５４の中間部に延びている。バッフルチューブ８０のボディ部５２側の端部８０ａは、キャップ７０で覆われない。端部８０ａの表面は、自然状態におけるキャップ７０の表面と同じ曲率の部分球面である。
【００８７】
バッフルチューブ８０の先端部（図示左端部）８０ｂは開口している。バッフルチューブ８０の先端部８０ｂとプロテクタ５４との間には、環状の狭い隙間が形成されている。バッフルチューブ８０のボディ部５２側の端部８０ａは、全周に亘ってボディ部５２に気密に接している。端部８０ａには、内側に向けて環状の返し部８１が設けられている。返し部８１が、ボディ部５２の半球殻に倣って面接触することにより、バッフルチューブ８０とボディ部５２との間の気密性が保たれている。返し部８１は、ネック部５３に達している。
【００８８】
バッフルチューブ８０は、イヤホンケーシング５０との間に環状の空気室９５を形成する。この例では、ヘッド部５１とバッフルチューブ８０との間に空気室９５が形成されている。すなわち、空気室９５は、ドライバユニット６０を包囲している。
【００８９】
バッフルチューブ８０は、イヤホンケーシング５０及びドライバケーシング６２よりも遙かに軟らかい。バッフルチューブ８０は、キャップ７０と同等の柔軟性を有する。バッフルチューブ８０は、外力が加わると容易に変形する。バッフルチューブ８０は、外力が加わらなくなると、自然状態の形状に復元する。図３１に示されているバッフルチューブ８０の形状は、自然状態の形状である。
【００９０】
バッフルチューブ８０は、弾力性を有する。バッフルチューブ８０は、エラストマでできている。エラストマの例として、シリコーンゴムを挙げることができる。エラストマでできたバッフルチューブ８０とスポンジ材（発泡ウレタンフォーム、発泡シリコーン、等）でできたキャップ７０との間には、比較的大きい摩擦力が働く。その摩擦力がドライバユニット６０とキャップ７０との相対移動を難くしている。これにより、ドライバユニット６０に対するキャップ７０の位置ずれ、及びイヤホンケーシング５０からのキャップ７０の不用意な離脱或いは望まない離脱が防止される。
【００９１】
上記のように構成された第８実施形態のイヤホン１２は、図３３に示すように、キャップ７０が外耳道１０１に嵌まることにより、バッフルチューブ８０と外耳道１０１の内壁１０３との間に、キャップ７０が介在する。図３３には表現されていないが、バッフルチューブ８０は、耳１００に装着したときに、キャップ７０と共に外側から圧縮される。ドライバユニット６０は、外耳道１０１の内壁１０３から離して支持される。電気音響変換素子６１は、振動板６１ａを外耳道１０１内に向けて配置される。電気音響変換素子６１の振動板６１ａは、外耳道１０１内の入口１０２付近に配置される。そして、電気音響変換素子６１から発せられた音がキャップ７０を放射状に透過して外耳道１０１内に放音される。音導管９５３及びイヤピース１２４（図３５参照）が存在しないため、外耳道１０１内の入口１０２付近にて電気音響変換素子６１から発せられた再生音が、キャップ７０を透過して外耳道１０１の皮膚やその周辺の骨に伝達される。
【００９２】
よって、第８実施形態のイヤホン１２によれば、ドライバユニット６０から発せられた音を、外耳道１０１周辺の音を感じる部分の能力を最大限に活用して、自然な音響として認知することができる。
【００９３】
また、第８実施形態のイヤホン１２によれば、電気音響変換素子６１の放音部としての振動板６１ａが外耳道１０１内の入口１０２付近に配置されるので、電気音響変換素子６１から発せられる音を効率良く外耳道１０１に導くことができる。よって、小寸（小出力）のドライバユニット６０を使用しているにもかかわらず、その再生音を自然な音響として認知できる。
【００９４】
また、第８実施形態のイヤホン１２は、音導管１２３（図３５参照）を使用しないため、ドライバユニット６０から聴覚器官に伝達される音域が制限されない。よって、ドライバユニット６０の性能を十分に発揮させることができる。
【００９５】
また、第８実施形態のイヤホン１２は、キャップ７０の外形が球形であるので、多くの人の外耳道１０１にフィットし易い。また、キャップ７０の外形が球形であることにより、ドライバユニット６０から発せられる音が偏りなく放射状に外耳道１０１内に放音される。また、耳に対する装着角度が多少変化しても、バッフルチューブ８０と外耳道１０１の内壁１０３との間に、キャップ７０が介在し、ドライバユニット６０が外耳道１０１の内壁１０３から離して支持される。
【００９６】
また、第８実施形態のイヤホン１２は、耳１００に接触する部分がキャップ７０だけであり且つキャップ７０が柔軟なスポンジ材からなるので、耳１００への装着感が良好で、長時間着けていても耳１００に痛みを生じさせにくい。
【００９７】
また、第８実施形態のイヤホン１２は、外耳道１０１に嵌まるキャップ７０が通気性を有するスポンジ材からなるので、外耳道１０１を気密に密閉しない。このためタッチノイズが発生しにくい。
【００９８】
また、第８実施形態のイヤホン１２は、ヘッド部５１とキャップ７０との間にバッフルチューブ８０が存在するので、外耳道１０１を気密に密閉しないにもかかわらず、中低音再現性が良い。外耳道１０１外への音漏れが抑制されるからである。また、バッフルチューブ８０の内部空間が空気室９５をなすので、中低音再現性が更に良好である。バッフルチューブ８０は、空気室９５内の空気をドライバユニット６０から放たれる音に共振させることで、中低音域の音響増幅器として機能し得る。
【００９９】
また、第８実施形態のイヤホン１２は、空気室９５内の空気の振動に伴い、柔軟なバッフルチューブ８０が振動するため、空気室９５内の空気の振動がキャップ７０を介して外耳道１０１の内壁１１１に僅かながらも伝達される。このため、ドライバユニット６０から発せられた音の振動を、外耳道１０１の皮膚を通して知覚することが可能となる。
【０１００】
また、第８実施形態のイヤホン１２は、バッフルチューブ８０の先端部８０ｂとプロテクタ５４との間に環状の狭い隙間が形成されていることで、電気音響変換素子６１の振動板６１ａから発せられ後方（外耳道１０１の外側）に回り込む音が空気室９５内に伝達し易くなる。そして、バッフルチューブ８０のボディ部５２側の端部８０ａが全周に亘ってボディ部５２に気密に接していることで、空気室９５内に伝達した音が空気室９５の後方（外耳道１０１の外側）に伝達し難くなる。これにより、外耳道１０１外への音漏れがより効果的に抑制され、中低音再現性がより良好となる。
【０１０１】
また、第８実施形態のイヤホン１２は、イヤホンケーシング５０とキャップ７０との間に存在する柔軟なバッフルチューブ８０がクッションとしての役割も果たすので、キャップ７０とバッフルチューブ８０との相乗作用により、従来のイヤホンでは体感し得ない極めて良好な装着感を実現し得る。
【０１０２】
また、第８実施形態のイヤホン１２は、第１共鳴室９１と第２共鳴室９２と第３共鳴室９３とを備え、第１共鳴室９１と第２共鳴室９２とが細い通路（ポート６２ｅ）で結ばれているので、低音が増幅される。そして、第２共鳴室９２と第３共鳴室９３とが細い通路（内部空間９４）で結ばれているので、低音が更に増幅される。
【０１０３】
また、第８実施形態のイヤホン１２は、バッフルチューブ８０の端部８０ａの外面が露出しているので、空気室９５の存在を外部から認識させうる。バッフルチューブ８０の材質に、例えば半透明のシリコーンゴムを使用することにより、空気室９５の存在を外部からより認識し易くできる。このように、第８実施形態によれば、空気室９５を備えた斬新な構造のイヤホン１２が実現される。また、バッフルチューブ８０を外部から視認しうる構造を採用することで、高い音響性能と機能美とを兼ね備えた斬新なイヤホン１２を実現し得る。
【０１０４】
なお、本発明の実施形態は上記の実施形態に限定されるものではなく、本発明の技術的思想の趣旨を逸脱しない範囲において様々に変更、置換、変形されてもよい。
【０１０５】
例えば、第１乃至第４実施形態のイヤホン１は、いずれも芯部材４を備えているが、芯部材４は必須の構成要素ではない。
また、第１乃至第４実施形態のイヤホン１は、いずれも拾音器５を備えているが、拾音素子５は必須の構成要素ではない。
【０１０６】
また、第４実施形態の構成に加えて、サブバッフル部材８を備えることが望ましい。また、第４実施形態では、嵌合部材９に対する芯部材４の位置が偏心しているが、必ずしも偏心させることを要しない。
また、第４実施形態では、キャップ３と嵌合部材９とがバッフル部材７を挟んで配置されているが、バッフル部材７を省略した場合、キャップ３と嵌合部材９とを直接接合又は一体形成してもよい。
【０１０７】
また、第１乃至第４実施形態のイヤホン１においても、第５実施形態と同様にワイヤレス方式を採用可能である。
【０１０８】
また、第５の実施形態では、皮膚接触部材１９Ａの材質（比重、柔軟性、音透過性）と音響ユニット収容部材１９Ｂの材質（比重、柔軟性、音透過性）が相違しているが、両者の材質は同じであってもよい。
【０１０９】
また、第５乃至第７実施形態においては、耳装着体１９が皮膚接触部材１９Ａと音響ユニット収容部材１９Ｂとで構成されているが、耳装着体１９全体を当初から一体品として製造してもよい。この場合、耳装着体１９に切り込み部を形成しておき、その切り込み部を通して空洞１９ｃ、１９Ａｃ内に音響ユニット１１を装着可能とすることが好ましい。
【０１１０】
また、第５乃至第７実施形態においては、耳装着体１９が通気性を有する部材で構成されているが、耳装着体１９を通気性を有さない部材で構成してもよい。耳装着体１９が通気性を有さない部材である場合、耳装着体１９と耳１００の皮膚との間に部分的に隙間が形成される必要がある。
【０１１１】
また、第５乃至第７実施形態において、耳装着体１９を柔軟なシリコンスポンジで実現することもできる。音響ユニット１１の全体が光透過性を有するシリコンスポンジで包まれた構造を採用することで、透明感があり且つお菓子のグミ（ゼリー体）のような弾力性を有する斬新なイヤホン１０を実現することが可能である。また、耳装着体１９に撥水性を有するシリコンスポンジを採用することにより、完全防水型のイヤホン１０を実現できる。
【０１１２】
また、第７実施形態において、第１ケーブル４０Ａ側に設けられる第１端子４１Ａを雌端子とし、第２ケーブル４０Ｂ側に設けられる第２端子４１Ｂを雄端子としてもよい。
【０１１３】
また、第７実施形態においては、第１ケーブル４０Ａに取り付けられた第１端子４１Ａが第２ケーブル４０Ｂに取り付けられた第２端子４１Ｂと互いに接続されるようにしたが、図２９に例示するように、第１端子４１Ａが受信装置４９に接続されるようにしてもよい。この場合、第２端子４１Ｂは受信装置４９に設けられている。また、この場合、第２ケーブル４０Ｂは省略される。
【０１１４】
また、第８実施形態においては、バッフルチューブ８０の先端部８０ｂとプロテクタ５４との間に、環状の狭い隙間が形成されているが、当該隙間は必須の構成要素ではない。当該隙間が存在しなくても或いは当該隙間が存在しない方が、中低音再現性を高める上で有利である可能性もある。また、バッフルチューブ８０とイヤホンケーシング５０のヘッド部５１とにより密閉構造の空気室９５を形成してもよい。ドライバユニット６０から発せられた音に密閉構造の空気室９５内の空気が共振する構造により、バッフルチューブ８０がより高性能な音響増幅器として機能し得る可能性がある。
【０１１５】
また、第８実施形態のイヤホン１２は、第１共鳴室９１を備えているが、第１共鳴室９１は必須の構成要素ではない。
【０１１６】
また、第８実施形態のイヤホン１２は、第２共鳴室９２を備えているが、第２共鳴室９２は必須の構成要素ではない。
【０１１７】
また、第８実施形態のイヤホン１２は、第３共鳴室９３及び内部空間９４を備えているが、第３共鳴室９３及び内部空間９４は必須の構成要素ではない。
【０１１８】
また、第８実施形態のイヤホン１２は、第１エンクロージャとしてのドライバケーシング６２を備えているが、ドライバケーシング６２は必須の構成要素ではない。すなわち、イヤホンケーシング５０のヘッド部５１がドライバユニット６０を構成してもよい。
【０１１９】
また、第８実施形態のイヤホン１２において、空気室９５のボディ部５２側の空間（図示右側の空間）に音響振動吸収層を設けてもよい。空気室９５に音響振動吸収層を設けることで、バッフルチューブ８０による外耳道１０１外への音漏れ防止性能を高めることができる。音響振動吸収層の素材の例として、株式会社タイカにより開発されたαGEL（登録商標）を挙げることができる。αGEL（登録商標）は、シリコーンを主成分とする軟らかいゲル状の素材である。
【０１２０】
また、第８実施形態では、ドライバユニット６０の放音部として振動板６１ａを例示したが、放音部は振動板６１ａに限らない。ドライバユニット６０の放音部は、音声発生源となる振動体から発せられた音の出口（窓）であってもよい。すなわち、ドライバユニット６０は、ダイナミック型に限らず、バランスド・アーマチュア型でもよい。また、ドライバユニット６０は、低域用、中域用、高域用、等、音響特性の異なる複数の電気音響変換素子６１を備えてもよい。
【０１２１】
また、第８実施形態では、介在部材としてチューブ状の部材（バッフルチューブ７０）を用いているが、これに代えて、イヤホンケーシング５０を包囲するトーラス状の柔軟な中空部材（バッフルトーラス）を用いてもよい。バッフルトーラスは、イヤホンケーシング５０のヘッド部５１とボディ部５２との間の括れた部分（ネック部５３）に取り付けることで、イヤホンケーシング５０に安定に保持される。
【０１２２】
また、第８実施形態では、介在部材を「バッフルチューブ」と称したが、空気室９５を有するものという意味で「エアチューブ」と称してもよい。同じ趣旨で、「バッフルトーラス」を「エアトーラス」と称してもよい。また、介在部材を、クッションとして働くものという意味で「エアクッション」或いは「クッションチューブ」と称してもよい。
【０１２３】
また、上記実施形態では、キャップ３、７０及び皮膚接触部材１９Ａとしてスポンジ材からなる部材を用いているが、柔軟性、弾力性及び通気性を有する部材であれば、スポンジ材からなる部材に限らない。
【０１２４】
また、上記実施形態では、嵌合部材９及び音響ユニット収容部材１９Ｂとしてスポンジ材からなる部材を用いているが、柔軟性及び弾力性を有する部材であれば、スポンジ材からなる部材に限らない。
【０１２５】
また、上記実施形態では、音響装置の実施形態の例として、イヤホンの形態例を示したが、本発明に係る音響装置には、イヤホン以外の音響装置も含まれる。イヤホン以外の音響装置の例として、補聴器、インカム、等、マイクを備えた機器を挙げることができる。
【０１２６】
［総括］
本明細書には少なくとも以下の事項が記載されている。なお、括弧内には、上記した実施形態において対応する構成要素等を示しているが、これに限定されるものではない。
【０１２７】
（１−１）：耳（耳１００）に装着して使用する音響装置（イヤホン１、イヤホン１０、イヤホン１２）であって、電気音響変換器（ドライバユニット１、１２、６０）と、皮膚接触部材（キャップ３、キャップ７０、皮膚接触部材１９Ａ）と、を有し、前記電気音響変換器は、放音部（放音部２ａ、放音部１２ａ、振動板６１ａ）を有し、前記電気音響変換器は、前記放音部を外耳道（外耳道１０１）内に向けて配置され、前記皮膚接触部材は、前記電気音響変換器の放音部を覆う部材であり、前記皮膚接触部材は、前記電気音響変換器の前記放音部から発せられた音を透過させる部材であり、前記皮膚接触部材は、柔軟性、弾力性及び通気性を有する部材であり、前記皮膚接触部材は、前記外耳道に嵌まることにより、前記電気音響変換器を前記外耳道の内壁（内壁１０３）から離して支持する、音響装置。
【０１２８】
（１−１）の音響装置は、外耳道に嵌まる皮膚接触部材が柔軟性及び弾力性を有する部材であるので、耳への装着の感触が良好で、長時間着けていても耳に痛みが生じにくい。
（１−１）の音響装置は、耳を気密に塞がないので、タッチノイズが発生しにくい。
【０１２９】
（１ー２）：耳に装着して使用する音響装置であって、前記音響装置は、電気音響変換器と、当該電気音響変換器の放音部を覆う皮膚接触部材と、を有し、前記電気音響変換器は、前記放音部を外耳道の内部に向けて配置され、前記皮膚接触部材は、外耳道に嵌まり、且つ、前記電気音響変換器から発せられた音を透過させる部材であり、前記皮膚接触部材が前記外耳道に嵌まることにより、前記電気音響変換器が前記外耳道の周壁から離して支持されるとともに、前記電気音響変換器の前記放音部が前記外耳道の内部の入口（入口１０２）付近に配置される、音響装置。
【０１３０】
（１−２）の音響装置によれば、皮膚接触部材が外耳道に嵌まることにより、電気音響変換器が外耳道の周壁から離して支持されると共に、電気音響変換器の放音部が外耳道内の入口付近に配置されるので、電気音響変換器から発せられた音を、外耳周りの音を感じる部分の能力を最大限に活用して認知することができる。
【０１３１】
（２）：（１−１）又は（１−２）の音響装置において、嵌合部材（嵌合部材９）を更に有し、前記嵌合部材は、柔軟性及び弾力性を有する部材であり、前記嵌合部材が耳甲介腔（耳甲介腔１０６）に嵌まることにより、耳に安定に装着される、音響装置。
【０１３２】
（２）の音響装置は、柔軟性及び弾力性を有する嵌合部材が耳甲介腔に嵌まることにより、耳に安定に装着されるので、耳への装着の感触が良好で、長時間着けていても耳に痛みを生じさせにくい。
【０１３３】
（３）：（１−１）乃至（２）のいずれか１の音響装置において、芯部材（芯部材４）を更に有し、前記芯部材の一端部に、前記電気音響変換器が収容されるとともに前記皮膚接触部材が取り付けられている、音響装置。
【０１３４】
（３）の音響装置は、電気音響変換器を芯部材により保護することができる。また、芯部材は、音響装置を耳に付け外しする際に指で摘まむ部分としても機能し得る。
【０１３５】
（４）：（３）の音響装置において、前記芯部材の周囲に前記嵌合部材が設けられている音響装置。
【０１３６】
（４）の音響装置は、嵌合部材の取付部を確保し、電気音響変換器及び皮膚接触部材と嵌合部材との相対的な位置関係を安定に保つことができる。
【０１３７】
（５）：耳に装着して使用する音響装置であって、前記音響装置は、電気音響変換器と、皮膚接触部材と、を有し、前記電気音響変換器は、放音部を有し、前記電気音響変換器は、前記放音部を外耳道内に向けて配置され、前記皮膚接触部材は、前記電気音響変換器の放音部を覆う部材であり、前記皮膚接触部材は、音を透過させる部材であり、前記皮膚接触部材は、柔軟性及び弾力性を有する部材であり、前記皮膚接触部材は、前記外耳道への空気の流通を許容しつつ耳甲介腔に嵌まることにより、前記電気音響変換器を前記外耳道に臨ませて支持する、音響装置。
【０１３８】
（５）の音響装置は、耳甲介腔に嵌まる皮膚接触部材が柔軟性及び弾力性を有する部材であるで、耳への装着の感触が良好で、長時間着けていても耳に痛みを生じさせにくい。
（５）の音響装置は、耳を気密に塞がないので、タッチノイズが発生しにくい。
【０１３９】
（６）：（５）の音響装置において、前記電気音響変換器を少なくとも有する音響ユニットと、前記音響ユニットの全体を包み込む耳装着体と、を備え、前記耳装着体は、柔軟性及び弾力性を有する部材であり、前記皮膚接触部材が前記耳装着体の一部を成しており、前記音響装置の使用時に、前記耳装着体だけが耳と接触する、音響装置。
【０１４０】
（６）の音響装置は、音響装置の使用時に耳と接触する耳装着体が柔軟性及び弾力性を有する部材であるので、耳への装着の感触が良好で、長時間着けていても耳に痛みが生じにくい。
【０１４１】
（７）：耳に装着して使用する音響装置であって、前記音響装置は、電気音響変換器（ドライバユニット６０）と、皮膚接触部材（キャップ７０）と、介在部材（バッフルチューブ８０）と、を有し、前記電気音響変換器は、その放音部（振動板６１ａ）及び側部（側部６１ｃ）が前記皮膚接触部材で覆われ、前記皮膚接触部材は、柔軟性、弾力性及び通気性を有し、且つ、音を透過させる部材であり、前記介在部材は、前記電気音響変換器に直接又は間接的に固定されて前記皮膚接触部材と前記電気音響変換器との間に存在するとともに、前記皮膚接触部材との間の摩擦力により前記電気音響変換器と前記皮膚接触部材との相対移動を難くし、前記皮膚接触部材が外耳道に嵌まることにより、前記電気音響変換器が当該外耳道の内壁から離して支持される、音響装置。
【０１４２】
（７）の音響装置は、皮膚接触部材が柔軟性、弾力性及び通気性を有する部材であるので、耳への装着感が良好で、長時間着けていても耳に痛みを生じさせにくい。
（７）の音響装置は、皮膚接触部材が通気性を有するので、耳への装着時に外耳道を気密に密閉しない。このため所謂タッチノイズが発生しにくい。
（７）の音響装置は、介在部材と皮膚接触部材との間の摩擦力により電気音響変換器と皮膚接触部材との相対移動を難くしているので、電気音響変換器に対する皮膚接触部材の位置ずれや、皮膚接触部材の不用意な離脱が防止される。
【０１４３】
（８）：（７）の音響装置において、前記介在部材は、前記皮膚接触部材と前記電気音響変換器との間に空気室（空気室９５）を形成する、音響装置。
【０１４４】
（８）の音響装置は、前記皮膚接触部材と前記電気音響変換器との間に空気室が存在するので、中低音再現性が良い。
【０１４５】
（９）：（８）の音響装置において、前記介在部材は、前記電気音響変換器を包囲する前記空気室を形成し、前記空気室内の空気振動に伴い振動する、音響装置。
【０１４６】
（９）の音響装置によれば、空気室内の空気の振動が皮膚接触部材を介して外耳道の内壁に伝達されるため、電気音響変換器から発せられた音の振動を、外耳道の皮膚を通して知覚することが可能となる。
【０１４７】
（１０）：（１−１）乃至（９）の音響装置において、前記電気音響変換器を収容する第１エンクロージャ（ドライバケーシング６２）と、前記第１エンクロージャを収容する第２エンクロージャ（イヤホンケーシング５０）と、を更に有し、前記第１エンクロージャは、前記電気音響変換器との間に第１共鳴室（第１共鳴室９１）を形成し、前記第２エンクロージャは、前記第１エンクロージャとの間に第２共鳴室（第２共鳴室９２）を形成し、前記第１エンクロージャには、前記第１共鳴室と前記第２共鳴室とを互いに連通させるポート（ポート６２ｅ）が設けられている、音響装置。
【０１４８】
（１０）の音響装置は、第１共鳴室及び第２共鳴室により低音が増幅されるので、中低音再現性がより良い。
【０１４９】
（１１）：（１０）の音響装置において、前記第２エンクロージャの内部には、前記第２共鳴室と連通する第３共鳴室（第３共鳴室９３）が形成されている、音響装置。
【０１５０】
（１２）の音響装置は、第２共鳴室および第３共鳴室により低音が更に増幅されるので、中低音再現性が更に良い。
【０１５１】
（１３）：（１２）の音響装置において、前記第２エンクロージャにおける前記第２共鳴室と前記第３共鳴室との連通部（内部空間９４）は、くびれている、音響装置。
【０１５２】
（１３）の音響装置は、第２共鳴室と第３共鳴室との連通部における空気の粘性の変化により低音が更に増幅されるので、中低音再現性が更に良い。
【０１５３】
（１４）：（１−１）乃至（１３）のいずれか１の音響装置において、前記皮膚接触部材は、スポンジ材からなる部材である、音響装置。
【０１５４】
（１４）の音響装置は、音響装置の使用時に耳と接触する皮膚接触部材がスポンジ材からなるので、タッチノイズが発生しにくく、耳への装着の感触が良好で、長時間着けていても耳に痛みを生じさせにくい。
【０１５５】
（１５）：（１−１）乃至（１４）のいずれか１の音響装置において、前記皮膚接触部材の外形は、球形である、音響装置。
【０１５６】
（１５）の音響装置は、前記皮膚接触部材の外形が球形であることで、多くの人の外耳道にフィットし易い。また、前記電気音響変換器から発せられる音が偏りなく放射状に外耳道内に放音される。また、耳に対する装着角度が多少変化しても、前記介在部材と外耳道の内壁との間に、前記皮膚接触部材が介在し、前記電気音響変換器が当該外耳道の内壁から離して支持される。
【符号の説明】
【０１５７】
１：イヤホン（音響装置）  ２：電気音響変換器  ２ａ：放音部
３：皮膚接触部材  ４：芯部材  ５：拾音器  ７：バッフル部材
８：サブバッフル部材  ９：嵌合部材
１０：イヤホン（音響装置）  １１：音響ユニット
１９：耳装着体  ４０：ケーブル
４０Ａ：第１ケーブル  ４０ａ：一端
４０Ｂ  第２ケーブル  ４１Ａ：第１端子
４０Ａａ：他端部  ４１Ｂ：第２端子  ４９：受信装置
１２：イヤホン（音響装置）
５０：イヤホンケーシング（第２エンクロージャ）
５１：ヘッド部  ５２：ボディ部  ５３：ネック部
５４：プロテクタ  ６０：ドライバユニット（電気音響変換器）
６１：電気音響変換素子  ６１ａ：振動板（放音部）
６２：ドライバケーシング（第１エンクロージャ）
６２ｅ：ポート  ６３：電気機械結合系
７０：キャップ（皮膚接触部材）  ８０：バッフルチューブ（介在部材）
９１：第１共鳴室  ９２：第２共鳴室  ９３：第３共鳴室
９４：内部空間  ９５：空気室
１００：耳  １０１：外耳道  １０２：入口
１０３：内壁  １０６：耳甲介腔
【要約】
耳への装着の感触が良好な音響装置を提供する。この音響装置は、電気音響変換器と、皮膚接触部材と、を有する。電気音響変換器は、放音部を有する。電気音響変換器は、その放音部を外耳道内に向けて配置される。皮膚接触部材は、電気音響変換器の放音部を覆う部材である。皮膚接触部材は、電気音響変換器の放音部から発せられた音を透過させる部材である。皮膚接触部材は、柔軟性、弾力性及び通気性を有する部材である。皮膚接触部材は、外耳道に嵌まることにより、電気音響変換器を外耳道の内壁から離して支持する。【図１】
0006500257.tif 000002
【図２】
0006500257.tif 000003
【図３】
0006500257.tif 000004
【図４】
0006500257.tif 000005
【図５】
0006500257.tif 000006
【図６】
0006500257.tif 000007
【図７】
0006500257.tif 000008
【図８】
0006500257.tif 000009
【図９】
0006500257.tif 000010
【図１０】
0006500257.tif 000011
【図１１】
0006500257.tif 000012
【図１２】
0006500257.tif 000013
【図１３】
0006500257.tif 000014
【図１４】
0006500257.tif 000015
【図１５】
0006500257.tif 000016
【図１６】
0006500257.tif 000017
【図１７】
0006500257.tif 000018
【図１８】
0006500257.tif 000019
【図１９】
0006500257.tif 000020
【図２０】
0006500257.tif 000021
【図２１】
0006500257.tif 000022
【図２２Ａ】
0006500257.tif 000023
【図２２Ｂ】
0006500257.tif 000024
【図２２Ｃ】
0006500257.tif 000025
【図２３】
0006500257.tif 000026
【図２４】
0006500257.tif 000027
【図２５】
0006500257.tif 000028
【図２６】
0006500257.tif 000029
【図２７】
0006500257.tif 000030
【図２８】
0006500257.tif 000031
【図２９】
0006500257.tif 000032
【図３０】
0006500257.tif 000033
【図３１】
0006500257.tif 000034
【図３２】
0006500257.tif 000035
【図３３】
0006500257.tif 000036
【図３４】
0006500257.tif 000037
【図３５】
0006500257.tif 000038